(57)【特許請求の範囲】
【請求項１】
被印刷物に対しパターン開孔を有するスクリーン版を介して印刷用ペーストを印刷するスクリーン印刷機におけるスクリーン版クリーニング装置であって、スクリーン版の下面側に移動可能に設けられていて、その移動に伴って、該スクリーン版のパターン開孔の内側面に附着した印刷用ペーストの残渣を吸引除去し得るように構成した装置本体を具備するものにおいて、前記装置本体が複数個の吸気装置を収容配設した横長の中空ハウジングと、該吸気装置の個数と同数の相互に独立した吸引部を有すると共に、該各吸引部を前記中空ハウジングの頂板にそれぞれ穿設した各独立の開口を通して前記吸気装置の各吸込口と連通させた態様で前記頂板上に着脱自在に固定した吸引ノズルとからなっていること、及び、前記各吸気装置の動力を各別に制御し得るコントローラを備えていることを特徴とするスクリーン版クリーニング装置。
【請求項２】
被印刷物に対しパターン開孔を有するスクリーン版を介して印刷用ペーストを印刷するスクリーン印刷機におけるスクリーン版クリーニング装置であって、スクリーン版の下面側に移動可能に設けられていて、その移動に伴って、該スクリーン版のパターン開孔の内側面に附着した印刷用ペーストの残渣を吸引除去し得るように構成した装置本体を具備するものにおいて、前記装置本体が複数個の吸気装置を収容配設した横長の中空ハウジングと、該吸気装置の個数と同数の相互に独立した吸引部を有すると共に、該各吸引ノズル部を前記中空ハウジングの頂板にそれぞれ穿設した各独立の開口を通して前記吸気装置の各吸込口と連通させた態様で前記頂板上に着脱自在に固定した吸引ノズルとからなっていること、前記各吸気装置の動力を各別に制御し得るコントローラを備えていること、及び、前記装置本体を移動させると、その移動に伴って前記スクリーン版の下面に摺接して該下面に附着した印刷用ペーストの残渣を摺動除去し得るようにした摺動除去手段を備えていることを特徴とするスクリーン版クリーニング装置。
【請求項３】
前記中空ハウジングが直方形に形成されていて、少なくともその前後両壁には通気孔としての横長の窓孔が、その底壁には前記吸気装置の各吐出口から吐出される空気を排出させる多数の排気口がそれぞれ形成されていることを特徴とする請求項１、又は２に記載のスクリーン版クリーニング装置。
【請求項４】
請求項１から３までのいずれか１項に記載のスクリーン版クリーニング装置において、前記吸引ノズルが前記中空ハウジングの軸線に沿って延在する中空突起からなっていること、及び、前記各吸引ノズル部にはスクリーン版下面に向けて開口する単一または複数個の吸気口が形成されていることを特徴とするスクリーン版クリーニング装置。
【請求項５】
請求項４に記載のスクリーン版クリーニング装置において、スクリーン版下面に附着した前記残渣の摺動除去手段が該スクリーン版下面に当接し得る前記中空突起の頂部と該頂部の前後両側に形成された削ぎ取りエッジ部とからなっていることを特徴とするスクリーン版クリーニング装置。
【請求項６】
請求項１から５までのいずれか１項に記載のスクリーン版クリーニング装置において、前記吸引ノズルと互換可能に構成された１個または複数個の吸引ノズルをオプションとして備えていることを特徴とするスクリーン版クリーニング装置。
【請求項７】
印刷用ペーストが半田合金粉末と液状フラックスとを練り合わせてクリーム状にした半田ペーストであることを特徴とする請求項１から６までのいずれか１項に記載のスクリーン版クリーニング装置。
【発明の詳細な説明】
【０００１】
【発明の属する技術分野】
本発明は、プリント基板等の被印刷物に対しパターン開孔を有するスクリーン版を介して、半田ペーストや絶縁ペースト等の印刷用ペーストを印刷するスクリーン印刷機におけるスクリーン版クリーニング装置に係り、殊にスクリーン版の下面側に移動可能に設けられていて、その移動に伴って、該スクリーン版のパターン開孔の内側面及び／または該スクリーン版の下面に附着した印刷用ペーストの残渣を該スクリーン版の下方から除去し得るように構成した装置本体を具備するスクリーン版クリーニング装置に関する
【０００２】
【従来の技術】
この種の装置としては、吸引開口ないし吸気ノズルを有する装置本体を該装置本体の外部に設けた真空ポンプ等の吸気装置に吸引ホースないしダクトを介して連結し、該吸気装置の作動に伴って生じる吸引作用により前記ペースト残渣を装置本体内に吸い込ませ、前記吸引ホースないしダクトを介して移送するようにしたものが知られている。
【０００３】
【発明が解決しようとする課題】
この種のスクリーン版クリーニング装置にあっては、スクリーン版のパターン開孔の内側面に附着したペースト残渣の吸引除去効率は、吸引ノズルに作用する吸引力の大小によって大きく左右されるものであるところ、装置本体をその外部に設けた吸気装置に吸引ホースないしダクトを介して連結した構成を有する前記の如き従来公知のスクリーン版クリーニング装置においては、所要の長さを有する吸引ホースないしダクト（以下、ダクトという）及びその取り付けに要する各種の取付部品並びに労力や時間が必要となるばかりでなく、空気力学的にはダクトの壁面摩擦による空気流のエネルギ損失が不可避であるため、そのエネルギ損失分や起こり得る空気漏れによる圧力損失分を十分にカバーし得る強力な吸引能力を有する交流電動機を備えた比較的大型の吸気装置を使用しなければならず、構造が複雑化し、コスト高とならざるを得ない。
また、この種の従来公知の装置としては、吸引ノズルは、図９に示したような、単一の細長い吸気口３′を有し、かつその内部が区分されていない単一の吸引部を有するものが良く知られており、該公知例においては、吸引ノズルＢ′の移動にともなって、その吸気口３′の掃引領域内に存在するスクリーン版Ｓのパターン開孔Ｓ２の内側面に附着して残留するペースト残渣を該スクリーン版の下方から吸引除去し得るようにされている。図示の例にあっては、スクリーン版Ｓの清掃必要領域Ｚが広く、吸気口３′の掃引領域とほぼ一致しているため、吸気装置の動力を無駄なく利用することができる。
これに対し、図１０に示すスクリーン版Ｓの場合、そのパターン開孔Ｓ２がその中央領域に集まっていて、その清掃必要領域Ｚが極めて狭いため、図９に示した単一の吸引部及び吸気口３′を有する吸気ノズルＢ′を使用すると、その吸気口３′の掃引領域が清掃必要領域Ｚより遥かに広い範囲にまで及ぶので、吸気装置の動力を不必要に消費することとなる。
【０００４】
本発明は、従来技術の有する上記の如き問題点を解決すべくなされたものであって、スクリーン版のパターン開孔の内側面に附着した印刷用ペーストの残渣を極めて効率よく吸引除去し得ると共に、吸気装置の動力を無駄なく有効に利用し得るようにした、構造が比較的簡単で廉価に提供可能なスクリーン印刷装置におけるスクリーン版クリーニング装置を提供することをその第１の目的とするものである。
【０００５】
本発明の第２の目的は、スクリーン版のパターン開孔の内側面に附着した印刷用ペーストの残渣を極めて効率よく吸引除去し得ると共に、吸気装置の動力を無駄なく有効に利用し得るようにし、かつ該スクリーン版の下面に附着した印刷用ペーストの残渣をも極めて効率よく摺動除去し得るようにした、構造が比較的簡単で廉価に提供可能なスクリーン印刷機におけるスクリーン版クリーニング装置を提供することである。
【０００６】
【課題を解決するための手段】
本発明の前記第１の目的を達成するために、本発明に係るスクリーン版クリーニング装置は、被印刷物に対しパターン開孔を有するスクリーン版を介して印刷用ペーストを印刷するスクリーン印刷機におけるスクリーン版クリーニング装置であって、スクリーン版の下面側に移動可能に設けられていて、その移動に伴って、該スクリーン版のパターン開孔の内側面に附着した印刷用ペーストの残渣を吸引除去し得るように構成した装置本体を具備するものにおいて、前記装置本体が複数個の吸気装置を収容配設した横長の中空ハウジングと、該吸気装置の個数と同数の相互に独立した吸引ノズル部を有すると共に、該各吸引ノズル部を前記中空ハウジングの頂板にそれぞれ穿設した各独立の開口を通して前記吸気装置の各吸込口と連通させた態様で前記頂板上に着脱自在に固定した吸引ノズルとからなっていること、及び、前記各吸気装置の動力を各別に制御し得るコントローラを備えていることを特徴とするものである。
【０００７】
また、本発明の前記第２の目的を達成するために、本発明に係るスクリーン版クリーニング装置は、被印刷物に対しパターン開孔を有するスクリーン版を介して印刷用ペーストを印刷するスクリーン印刷機におけるスクリーン版クリーニング装置であって、スクリーン版の下面側に移動可能に設けられていて、その移動に伴って、該スクリーン版のパターン開孔の内側面に附着した印刷用ペーストの残渣を吸引除去し得るように構成した装置本体を具備するものにおいて、前記装置本体が複数個の吸気装置を収容配設した横長の中空ハウジングと、該吸気装置の個数と同数の相互に独立した吸引ノズル部を有すると共に、該各吸引ノズル部を前記中空ハウジングの頂板にそれぞれ穿設した各独立の開口を通して前記吸気装置の各吸込口と連通させた態様で前記頂板上に着脱自在に固定した吸引ノズルとからなっていること、前記各吸気装置の動力を各別に制御し得るコントローラを備えていること、及び、前記装置本体を移動させると、その移動に伴って前記スクリーン版の下面に摺接して該下面に附着した印刷用ペーストの残渣を摺動除去し得るようにした摺動除去手段を備えていることを特徴とするものである。
【０００８】
本発明に係るスクリーン版クリーニング装置の他の構成上の特徴については、請求項３〜７の各記載事項を参照されたい。
【０００９】
以下、本発明につき、その実施形態を具体的に示した添付図面を参照して詳細に説明する。
【発明の実施の形態】
【００１０】
図面において、１は本発明に係るスクリーン版クリーニング装置の本体であり、該装置本体１はスクリーン印刷機（図示してない）にスクリーンホルダーを介してセットされたスクリーン版Ｓの下面Ｓ１側に昇降可能かつ前後方向に往復移動可能に設けられていて、その前後方向への移動に伴って、該スクリーン版Ｓのパターン開孔Ｓ２の内側面に附着して残留する、半田合金粉末と液状フラックスとを練り合わせてクリーム状にした半田ペースト等の印刷用ペーストの残渣（以下、ペースト残渣という）Ｒ１を該スクリーン版下面Ｓ１の下方から吸引除去し得るように構成されている。
【００１１】
本発明においては、装置本体１は、複数個の吸気装置２を収容配設した横長の中空ハウジングＡと、該中空ハウジングＡ上に着脱自在に固定された、単一または複数の吸気口３並びに該吸気装置２の個数と同数の相互に独立した吸引ノズル部Ｂ１、Ｂ２、Ｂ３を有する吸引ノズルＢとからなっており、各吸引ノズル部Ｂ１、Ｂ２、Ｂ３は、各吸気装置２の吸込口２Ａにそれぞれ連通されている。図示の例にあっては、小型の高速直流電動機の出力軸に直結した羽根車を有する軸流式の小型吸気装置２が３個前記中空ハウジングＡ内にその軸線に沿って吸込口２Ａを上に、吐出口２Ｂを下に向けた態様で等間隔に立設されており、前記吸引ノズルＢは、該吸気装置２の各吸込口２Ａを取り囲む３個の独立した円形の開口４をそれぞれ穿設した中空ハウジングＡの平坦な頂板５上に、吸引除去されたペースト残渣Ｒ１を捕集するための扁平なシート状のフィルター６を介在させて後述のロック機構Ｃにより着脱交換自在に固定されている。また、前記電動機は２段変速可能に構成されており、外部に接続したコントローラＣにより、必要に応じて回転数を変化させて各吸気装置の吸込風量、従ってまた、吸引力を調整することができるようにされている。
【００１２】
前記コントローラＣは、図示の例にあっては、図８に示すように電源電池を収容したボックスＣ１と、電源スイッチＣ２と、前記３個の吸気装置２の各電動機の回路を開閉すると共に、その回転数をそれぞれ高速と低速との２段に変化させ得る３個の回動操作ノブＣ３とを備えている。図中、Ｃ４は、各吸気装置２の作動ないし停止の状態を表示するパイロットランプである。
【００１３】
前記中空ハウジングＡは、図示の例にあっては、直方形に形成されていて、その前壁Ａ１、後壁Ａ２、左右両側壁Ａ３、Ａ４には通気孔としての横長の窓孔７がそれぞれ形成されていると共に、その底壁Ａ５には吸気装置２の各吐出口２Ｂから吐出される温風を排出させる多数の排気口８が形成されており、これにより、作動時における各吸気装置の過度の温度上昇を防止することができるようにしてある。符号９は中空ハウジングＡ内の各吸気装置２間に縦設した隔壁で、それぞれの発生する熱や回転音等の相互干渉ないし増幅を遮断するために設けたものである。符号Ｐは各吸気装置２のケーシングの肩部と前記頂板５との間の隙間に充填されたパッキングである。
【００１４】
前記吸引ノズルＢは、図示の例にあっては、中空ハウジングＡの軸線に沿って延在し、かつ前記吸引部Ｂ１、Ｂ２、Ｂ３を画成する２つの隔壁１０を吸気口３を閉鎖しない態様で内部に縦設した横長の直方形中空突起１１からなっており、その底面に固定された、前記開口４とそれぞれ連通する円形の開口１２Ａを備えた長方形の取付板１２を介して中空ハウジングＡの頂板５に前記のように取りつけられている。
【００１５】
装置本体１には、吸引ノズルＢと一体に移動し、スクリーン版下面Ｓ１に附着したペースト残渣Ｒ２を摺動除去し得るようにした摺動除去手段が設けられており、図示の例にあっては、当該摺動除去手段はスクリーン版下面Ｓ１に当接して摺動し得る前記中空突起１１の平坦な頂部１１Ａと、該頂部１１Ａの前後両側に形成された削ぎ取りエッジ部１１Ｂ、１１Ｃとからなっており、スクリーン版下面Ｓ１に当接させた状態で摺動させると、その摺動に伴って、該スクリーン版の下面に附着したペースト残渣Ｒ２を削ぎ取りエッジ部１１Ｂ、１１Ｃで削ぎ取るようにして除去することができるように構成されている。
【００１６】
前記したロック機構Ｃは、図１〜４に図示されているように、吸引ノズルＢの取付板１２、フィルター６及び中空ハウジングＡの頂板５の各端部寄りの中央部位にそれぞれ穿設された取付孔１３、１４、１５に、該頂板５上に該フィルター６及び該取付板１２を順次重ね合わせた状態において、それぞれ上方から挿通される頭付ねじ１６と、前記取付孔１３、１４、１５に挿通された該ねじ１６を前記頂板５の各端部の中央部下側において釈放可能に係止する係止手段１７とからなっている。各係止手段１７は、頂板５の各端部の中央部下面に固定される平面四角形の枠体１８と、半径方向の円弧状の切欠溝１９を形成したリング２０と、一端部にねじ部２１をそれぞれ形成した一対のロッド２２、２２の他端部間に円弧状の係合凹部２３Ａを有する係合片２３を固定してなる摺動部材２４と、２個のコイルスプリング２５と、把手２６と、２個のナット２７とからなる組立体であって、前記枠体１８に水平に設けた一対の貫通孔１８Ａ、１８Ａに前記摺動部材２４の一対のロッド２２、２２を挿通し、該ロッドを挿通する側から該枠体１８の約半分にわたって水平に形成したコ字状の摺動溝１８Ｂに前記摺動部材２４の係合片２３を挿入し、かつ該係合片を前記枠体１８内に嵌装した前記リング２０の前記切欠溝１９に摺動可能に挿入した後、ねじ２１が形成されている前記ロッド２２、２２の端部を中空ハウジングＡの各側壁Ａ３、Ａ４に形成した一対の小径の開口３０、３０を通して該側壁の外方へ突出させ、その突出部分に前記コイルスプリング２５をそれぞれ縮装すると共に、把手２６を固定し、かつ前記ロッド２２のねじ部２１にナット２７をそれぞれ螺合させてやることによって組み立てられる。
【００１７】
係止手段１７が上記のようにして組み立てられると、摺動部材２４は前記２個のコイルスプリング２５によって外方へ偏倚されており、この状態においては、該摺動部材２４の係合片２３は、図４に示すように、前記四角形の枠体１８の内側に張出していると共に、前記したリング２０の切欠溝１９に嵌合した状態で該リング２０の円形孔２０′内に突出している。この状態において、吸引ノズルＢを中空ハウジングＡに取り付ける際には、該ハウジングの頂板５上にフィルター６及び吸引ノズルＢの取付板１２を順次積み重ねた状態において、頭付ねじ１６を前記した１３、１４、１５に挿通すると共に、把手２６を押して摺動部材２４をスプリング２５の弾性に抗して内方へ摺動させ、頭付ねじ１６の中心軸線とリング２０の中心軸線とをほぼ一致させた状態において頭付ねじ１６のねじ部１６′のねじ溝に係合し、該頭付ねじ１６を係止するので、吸引ノズルＢは極めて簡単に中空ハウジングＡに固定される。吸引ノズルＢの取付板１２の下面には複数個の止めピン２８が穿設されている一方、フィルター６及び中空ハウジングＡの頂板５にはそれらの止ピン２８を圧入するための小孔２９が設けられており、吸引ノズルＢを中空ハウジングＡに取り付ける際に、それら止めピン２８をそれらの小孔２９にそれぞれ圧入することによって、吸引時にフィルター６に作用する吸引力により該フィルターが変形したりずれたりして空気漏れが生ずることがないようフィルター６を頂板５と取付板１２との間に強固に圧着することができるようにされている。
【００１８】
上記のようにして中空ハウジングＡに固定された吸引ノズルＢを取り外すためには、把手２６を押して摺動部材２４をスプリング２５の弾性に抗して内方へ摺動させてやると、その係合片２３が頭付ねじ１６のねじ溝から外れてその係止を解除するので、頭付ねじ１６を上方へ引き抜いてやればよく、これによって吸引ノズルＢを極めて容易に取り外すことが可能となる。
【００１９】
上述の如く構成されたスクリーン版クリーニング装置は、毎回若しくは複数回のスクリーン印刷工程終了後に印刷によって汚れたスクリーン版を清掃すべく運転されるものであって、スクリーン版Ｓが図９に示したように広い清掃必要領域Ｚを有する場合には前記した３個の吸気装置２を全部起動させるものとする。そして、吸引ノズルＢの頂部１１Ａをスクリーン版Ｓの下面Ｓ１に当接させた状態で装置本体１を図５において矢印Ｘ方向、すなわち前方へ移動させると、スクリーン版Ｓの開孔Ｓ２の下を通過する際に、前記吸気装置全部の作動によって発生する強力な吸引力により該開孔Ｓ２の内側面に附着して残留するペースト残渣Ｒ２は吸引ノズルＢの吸気口３から前記各吸引部Ｂ１、Ｂ２、Ｂ３内に勢いよく吸い込まれて除去され、吸気装置の吸込口２Ａに近接して位置するフィルター６に捕集されると共に、スクリーン版下面Ｓ１に附着しているペースト残渣Ｒ１は装置本体１の摺動に伴って吸引ノズルＢの前側の削ぎ取りエッジ部１１Ｂによって極めて効率よく除去される。この場合、スクリーン版Ｓのパターン開孔Ｓ２の配置状況やそのサイズの大小やペースト残渣Ｒ２の性質ないし硬軟等に応じて吸引装置２の各電動機の回転を前記コントローラーＣを操作して適宜変速してやることにより、吸引ノズルＢに作用する吸引力ないし吸気口３を貫流する吸引流速を適正に調整するができる。
【００２０】
図６は、装置本体１を矢印Ｙの方向、すなわち後方へ移動させた場合におけるペースト残渣Ｒ２、Ｒ１の除去の様子を示したもので、その動作の内容ないし態様は前記の場合と同様であるのでその説明は省略する。
【００２１】
次に、スクリーン版Ｓの清掃必要領域Ｚが吸気口３の全長の掃引領域に比較して極めて狭い場合、例えば、図１０に示すようにスクリーン版Ｓのパターン開孔Ｓ２がその中央領域に集まっていて、吸引ノズルＢの中央の吸引部Ｂ２の吸気口３部分による掃引領域内に存在する場合には、３個の吸気装置２全部を起動する必要はなく、該吸引部Ｂ２に対応する１つの吸気装置２のみを起動してやればよく、また、清掃必要領域Ｚが、左方または右方の吸引部Ｂ１またはＢ３の吸気口部分による掃引領域内に存在する場合には、当該吸気部に対応する１つの吸気装置２のみを運転するだけでたりる。
【００２２】
図１〜６では吸引ノズルＢは一直線状の単一の吸気口３を有するものとして、また、図７では一直線状の２つの吸気口３を有するものとして示したが、吸引ノズルＢはそのような形状と異なる形状を有する複数の吸気口を備えたものであってもよく、それを中空ハウジングＡに取り付けるための取付板１２の形状、寸法等を規格化して数種準備して取り揃えておけば、互換性が付与されるので、必要に応じてそれらのなかから所望のものを選択して使用することが可能となる。この場合、上記したロック機構Ｃは、上述したように操作が極めて簡単な一種のいわゆるワンタッチ式ロック機構であるから、これを使用すれば、ペースト残渣の吸引で汚れ易い吸引ノズルＢやフィルター６の清掃や交換に極めて便利であるばかりでなく、互換性を付与された吸引ノズルの選択的交換作業をする際にも極めて便利である。
【００２３】
以上、本発明につきその実施形態を具体的に示した図面を参照して詳述したが、本発明は図示の実施形態に限定されるものではなく、特許請求の範囲に記載の範囲内で、これに各種の改変を施して実施することができるものである。
【００２４】
かようにして、本発明によれば、スクリーン版のパターン開孔の内側面に附着した印刷用ペーストの残渣を極めて効率よく吸引除去することができると共に、吸気装置の動力を無駄なく有効に利用することができ、パターン開孔内の残留残渣に起因するにじみや、かすれ、短絡等のない高精度の印刷の実現及び印刷作業能率の格段の向上に寄与することのできる、構造が比較的簡単で廉価に提供可能なスクリーン印刷機におけるスクリーン版クリーニング装置を得ることができる。
また、本発明によれば、スクリーン版のパターン開孔の内側面に附着した印刷用ペーストの残渣を極めて効率よく吸収除去することができると共に、吸気装置の動力を無駄なく有効に利用することができ、しかも該スクリーン版の下面に附着した印刷用ペーストの残渣をも極めて効率よく摺動除去することができ、パターン開孔内及びスクリーン版下面の残留残渣に起因するにじみや、かすれ、短絡等のない高精度の印刷の実現及び印刷作業能率の格段の向上に寄与することのできる、構造が比較的簡単で廉価に提供可能なクリーニング装置を得ることができるものである。
【図面の簡単な説明】
【図１】本発明の実施の形態の一例としてのスクリーン版クリーニング装置本体の縦断正面図である。
【図２】図１に示した装置本体の分解斜視図である。
【図３】吸引ノズルを中空ハウジングに着脱自在に固定するために使用するロック機構の分解斜視図である。
【図４】同上ロック機構の別の分解斜視図である。
【図５】本発明装置の動作を示す一部縦断側面図である。
【図６】本発明の動作を示す別の一部縦断側面図である。
【図７】直線上の２つの吸気口を有する吸引ノズルの平面図である。
【図８】コントローラの斜視図である。
【図９】従来公知の単一の吸引部及び細長い単一の吸気口を有する吸引ノズルを用いて清掃必要領域の広いスクリーン版をクリーニングする状態を示す平面図である。
【図１０】本発明の一実施態様における吸引ノズルを用いて清掃必要領域の狭いスクリーン版をクリーニングする状態を示す平面図である。
【符号の説明】
１        装置本体
Ａ        中空ハウジング
Ｂ        吸引ノズル
Ｂ１〜Ｂ３    吸引部
Ｃ        コントローラ
２        吸気装置
２Ａ      吸気装置の吸気口
３        吸気ノズルの吸気口
Ｓ        スクリーン版
Ｓ１      スクリーン版下面
Ｓ２      パターン開孔
Ｒ１      スクリーン版の開孔の内側面に附着したペースト残渣
Ｒ２      スクリーン版の下面に附着したペースト残渣
４        開口
５        頂板
６        フィルター
７        窓孔
Ａ５      底壁
８        排気口
１１      中空突起
１１Ｂ    削ぎ取りエッジ部
１１Ｃ    削ぎ取りエッジ部
【図１】
0004511010.tif 000002
【図２】
0004511010.tif 000003
【図３】
0004511010.tif 000004
【図４】
0004511010.tif 000005
【図５】
0004511010.tif 000006
【図６】
0004511010.tif 000007
【図７】
0004511010.tif 000008
【図８】
0004511010.tif 000009
【図９】
0004511010.tif 000010
【図１０】
0004511010.tif 000011